(57)【要約】【課題】本発明は製造コストを抑えるとともに電子部品から発生する熱を効率よく放熱して表示パネルの表示品位の低下を防止する携帯端末を提供する。【解決手段】キャビネット１５内に配して電子部品１４ａを実装する回路基板１４と、キャビネット１５の開口面に配される表示パネル１１と、表示パネル１１と回路基板１４との間に充電池１２を配した。【選択図】図１
2014032997.tif 000002
【特許請求の範囲】
【請求項１】
キャビネット内に配して電子部品を実装する回路基板と、前記キャビネットの開口面に配される表示パネルと、前記表示パネルと前記回路基板との間に配される充電池とを備えたことを特徴とする携帯端末。
【請求項２】
前記回路基板よりも外周側に延びて前記充電池と前記回路基板との間に配される金属板を備えたことを特徴とする請求項１に記載の携帯端末。
【請求項３】
前記キャビネットの底面に面して前記回路基板の実装面を配し、前記キャビネットの底面と前記電子部品とが隙間を介して対向することを特徴とする請求項１または請求項２に記載の携帯端末。
【発明の詳細な説明】
【技術分野】
【０００１】
本発明は電子部品から発生する熱を効率よく放熱する携帯端末に関する。
【背景技術】
【０００２】
一般的な携帯端末は表示パネルと、電子部品が実装された回路基板と、回路基板及び表示パネルに電源を供給する充電池とを備える。また、回路基板と充電池とはキャビネット内に収納され、キャビネットの開口面に表示パネルが配される。このとき、表示パネルの背面側に回路基板が配されるとともに回路基板の背面側に充電池が配される。そして、充電池から供給される電力により、電子部品及び表示パネルが駆動する。しかし、携帯端末の使用において電子部品が発熱するため、電子部品から発生した熱が表示パネルに局所的に熱移動して表示品位が低下する問題があった。
【０００３】
特許文献１では携帯端末の冷却手段が開示されている。この冷却手段はフレキシブルで面内方向への熱伝導性に優れる伝導シートをキャビネット内で電子部品に覆い被せる。これにより、電子部品の熱が伝導シートを介してキャビネット側へ熱移動し、電子部品が冷却される。
【先行技術文献】
【特許文献】
【０００４】
【特許文献１】特開２００８−１９８８６０号公報
【発明の概要】
【発明が解決しようとする課題】
【０００５】
しかしながら、上記携帯端末に特許文献１の冷却手段を用いると、伝導シートをキャビネット内に収納するため携帯端末の厚みが増すとともに携帯端末の製造コストが上昇する問題があった。
【０００６】
そこで、本発明は製造コストを抑えるとともに電子部品から発生する熱を効率よく放熱して表示パネルの表示品位の低下を防止する携帯端末を提供することを目的とする。
【課題を解決するための手段】
【０００７】
上記目的を達成するために本発明は、キャビネット内に配して電子部品を実装する回路基板と、前記キャビネットの開口面に配される表示パネルと、前記表示パネルと前記回路基板との間に配される充電池とを備えたことを特徴としている。
【０００８】
この構成によると、充電池から供給される電力により、電子部品及び表示パネルが駆動する。このとき、電子部品から発生した熱は回路基板から充電池に熱移動する。充電池は熱容量が大きく、移動した熱は充電池に蓄熱されて拡散される。
【０００９】
また、本発明の携帯端末は、上記構成において、前記回路基板よりも外周側に延びて前記充電池と前記回路基板との間に配される金属板を備えたことを特徴としている。この構成によると、電子部品から発生した熱は回路基板から熱抵抗の低い金属板に熱伝導する。このとき、金属板は回路基板よりも外周側に延びており、金属板に熱移動した熱が面方向に拡散する。これにより、電子部品から充電池に局所的に熱が移動するのが防止される。
【００１０】
また、本発明の携帯端末は、上記構成において、前記キャビネットの底面に面して前記回路基板の実装面を配し、前記キャビネットの底面と前記電子部品とが隙間を介して対向することを特徴としている。この構成によると、空気は回路基板と比較して熱抵抗が高い。また、熱量は熱抵抗の低い方向へ移動しやすい。このため、電子部品から発生した熱は回路基板から充電池側へ熱移動し、対向するキャビネットの底面には熱移動し難い。したがって、電子部品で発生した熱がキャビネットに局所的に熱移動するのが防止される。
【発明の効果】
【００１１】
本発明によると、電子部品から発生した熱は回路基板から充電池に熱移動する。充電池は熱容量が大きく熱移動した熱が充電池で蓄熱されて拡散される。これにより、電子部品から表示パネルに伝わる熱を充電池が遮断して表示パネルの表示品位が低下するのを防止することができる。また、電子部品の放熱を効率的に行い、電子部品のパフォーマンスの低下を抑えることができる。また、充電池を用いて電子部品の放熱が可能となり、携帯端末の製造コストを抑えることができる。
【図面の簡単な説明】
【００１２】
【図１】本発明の実施形態に係る携帯端末の分解斜視図
【図２】本発明の実施形態に係る携帯端末の断面図
【発明を実施するための形態】
【００１３】
以下本発明をその実施の形態を示す図面に基づいて詳述する。図１は、本発明の実施形態に係る携帯端末１の分解斜視図である。
【００１４】
携帯端末１は表面に表示パネル１１が配され、背面側はキャビネット１５により覆われている。キャビネット１５はアルミニウム等の金属により形成され、底面１５ａの周縁から周壁１５ｂを立設して上面を開口した箱状に形成される。キャビネット１５内には回路基板１４、金属板１３及び充電池１２が収納される。
【００１５】
回路基板１４は電子部品１４ａを実装面１４ｂに実装し、実装面１４ｂはキャビネット１５の底面１５ａに対向して配置される。電子部品１４ａはＣＰＵ（Ｃｅｎｔｒａｌ  Ｐｒｏｃｅｓｓｉｎｇ  Ｕｎｉｔ）、無線回路部品、充電回路部品等の発熱部品を有している。
【００１６】
金属板１３はアルミニウム等により形成され、キャビネット１５の周壁１５ｂの内面に嵌合してキャビネット１５を補強する。また、金属板１３は回路基板１４よりも外周側に延びて形成され、周部から立設される周壁１３ａを有して充電池１２を収納する。
【００１７】
充電池１２はリチウムイオン電池等から成り、携帯端末１の各部に電力を供給する。また、充電池１２は金属板１３の上面に接して配される。
【００１８】
表示パネル１１は液晶パネルや有機ＥＬパネル等から成る、キャビネット１５の開口面に配される。表示パネル１１の表面にはタッチパネルが形成される。表示パネル１１により情報を表示するとともに携帯端末１の操作が行われる。
【００１９】
図２は携帯端末１の断面図である。図２に示すように、回路基板１４の実装面１４ａはキャビネット１５の底面１５ａに面して配され、電子部品１４ａと底面１５ａとが隙間７を介して対向する。空気は回路基板１４及び金属板１３と比較して熱抵抗が高い。また、熱量は熱抵抗の低い方向へ移動しやすい。このため、電子部品１４ａから発生した熱は回路基板１４から金属板１３及び充電池１２側へ熱移動し、対向するキャビネット１５の底面１５ａには熱移動し難い。したがって、電子部品１４ａで発生した熱により、キャビネット１５の外面に局所的に加熱されるのを防止することができる。これにより、使用者が接触するキャビネット１５の外面が局所的に温度上昇するのを防止することができる。
【００２０】
また、回路基板１４から熱抵抗の低い金属板１３に熱移動した熱は面方向に拡散し、充電池１２に熱移動する。これにより、電子部品１４ａで発生した熱が充電池１２に局所的に熱移動するのを防ぐことができる。これにより、使用者が接触する表示パネル１１の外面が局所的に温度上昇するのを防止することができる。また、充電池１２は熱容量が大きく、充電池１２に移動した熱は充電池１２に蓄熱されて拡散される。これにより、電子部品１４ａから表示パネル１１に伝わる熱を充電池１２が遮断して表示パネル１１の表示品位が低下するのを防止することができる。また、電子部品１４ａの放熱を効率的に行い、電子部品１４ａのパフォーマンスの低下を抑えることができる。また、充電池１２を用いて電子部品１４ａの放熱が可能となり、携帯端末１の製造コストを抑えることができる。
【００２１】
本実施形態によると、電子部品１４ａから発生した熱は回路基板１４から充電池１２に熱移動する。充電池１２は熱容量が大きく、熱移動した熱が充電池１２に蓄熱されて拡散される。これにより、電子部品１４ａから表示パネル１１に伝わる熱を充電池１２が遮断して表示パネル１１の表示品位が低下するのを防止することができる。
【００２２】
また、充電池１２と回路基板１４との間に金属板１３を配すことにより、電子部品１４ａから発生した熱は金属板１３に熱伝導する。このとき、金属板１３は回路基板１４よりも外周側に延びており、金属板１３に熱移動した熱が面方向に拡散する。これにより、電子部品１４ａから充電池１２に局所的に熱が移動するのが防止される。
【００２３】
また、キャビネット１５の底面１５ａに面して回路基板１４の実装面１４ｂを配し、キャビネット１５の底面１５ａと電子部品１４ｂとが隙間１７を介して対向する。空気は回路基板１４及び金属板１３と比較して熱抵抗が高い。また、熱量は熱抵抗の低い方向へ移動しやすい。このため、電子部品１４ａから発生した熱は回路基板１４から充電池１２側へ熱移動し、対向するキャビネット１５の底面１５ａには熱移動し難い。したがって、電子部品１４ａで発生した熱がキャビネット１４ａに局所的に熱移動するのが防止される。これにより、使用者が接触するキャビネット１５の外面が局所的に温度上昇するのを防止することができる。
【産業上の利用可能性】
【００２４】
本発明は通信機器，ＰＤＡ，スケジュール管理機器、ゲーム機器など、種々の携帯端末に広く利用可能である。
【符号の説明】
【００２５】
１      携帯端末
１１    表示パネル
１２    充電池
１３    金属板
１４    回路基板
１４ａ  電子部品
１４ｂ  実装面
１５    キャビネット
１５ａ  底面
１７    隙間
【図１】
2014032997.tif 000003
【図２】
2014032997.tif 000004